(57)【要約】【課題】ハンズフリー通話用に登録された携帯電話機に対して着信があったときに、ハンズフリー通話かハンドセット通話かについてユーザの希望に沿った状態で通話を行うことを可能にする「ハンズフリー通話の選択装置および選択方法」を提供する。【解決手段】ハンズフリーユニット１０に対し無線接続されて通信可能状態となっている携帯電話機に対して着信があったときに、ハンズフリー通話状態またはハンドセット通話状態の何れかの通話状態をユーザに選択させるための選択画面を表示する選択画面表示部５と、当該選択画面に対する操作を通じて選択された通話状態に設定する通話設定部７とを備え、ハンズフリーユニット１０と接続された状態の携帯電話機に着信があっても直ちにはハンズフリー通話状態とせず、通話状態選択画面を通じてユーザに通話状態の選択機会を与えることにより、ユーザが本当に必要な通話機能を容易に選択することができるようにする。【選択図】図１
2010226206.tif 000002
【特許請求の範囲】
【請求項１】
携帯電話機とハンズフリーユニットとが無線で接続されて通信可能状態となるハンズフリー通話システムに適用されるハンズフリー通話の選択装置であって、
上記通信可能状態となっている携帯電話機に対して着信があったときに、ハンズフリー通話状態またはハンドセット通話状態の何れかの通話状態をユーザに選択させるための選択画面を表示する選択画面表示部と、
上記選択画面表示部により表示された上記選択画面に対する選択操作を受け付ける操作受付部と、
上記操作受付部が受け付けた選択操作により選択された通話状態に設定する通話設定部とを備えたことを特徴とするハンズフリー通話の選択装置。
【請求項２】
上記通信可能状態となっている携帯電話機に対して着信があったときに、当該着信があった携帯電話機も含めて上記通信可能状態となっている携帯電話機の台数を検出する台数検出部を更に備え、
上記台数検出部により上記通信可能状態となっている携帯電話機が１台であることが検出された場合、上記選択画面表示部は上記選択画面の表示を行わず、上記通話設定部は上記ハンズフリー通話状態に設定し、
上記台数検出部により上記通信可能状態となっている携帯電話機が２台以上であることが検出された場合、上記選択画面表示部は上記選択画面の表示を行い、上記通話設定部は上記操作受付部が受け付けた選択操作により選択された通話状態に設定することを特徴とする請求項１に記載のハンズフリー通話の選択装置。
【請求項３】
上記通信可能状態となっている携帯電話機に対して着信があったときに、当該着信があった携帯電話機も含めて上記通信可能状態となっている携帯電話機の台数を検出する台数検出部と、
上記台数検出部により上記通信可能状態となっている携帯電話機が１台であることが検出された場合、上記ハンズフリー通話システムを搭載した車両が停車中か否かを判定する停車判定部とを更に備え、
上記台数検出部により上記通信可能状態となっている携帯電話機が１台であることが検出され、かつ、上記停車判定部により上記車両が停車中でないと判定された場合、上記選択画面表示部は上記選択画面の表示を行わず、上記通話設定部は上記ハンズフリー通話状態に設定し、
上記台数検出部により上記通信可能状態となっている携帯電話機が１台であることが検出され、かつ、上記停車判定部により上記車両が停車中であると判定された場合、または、上記台数検出部により上記通信可能状態となっている携帯電話機が２台以上であることが検出された場合、上記選択画面表示部は上記選択画面の表示を行い、上記通話設定部は上記操作受付部が受け付けた選択操作により選択された通話状態に設定することを特徴とする請求項１に記載のハンズフリー通話の選択装置。
【請求項４】
携帯電話機とハンズフリーユニットとが無線で接続されて通信可能状態となるハンズフリー通話システムにおいて、上記携帯電話機に対して着信があったときに通話状態を選択して設定するようになされたハンズフリー通話の選択方法であって、
上記通信可能状態となっている携帯電話機に対して着信があったときに、ハンズフリー通話状態またはハンドセット通話状態の何れかの通話状態をユーザに選択させるための選択画面を表示する第１のステップと、
上記第１のステップで表示された上記選択画面に対する選択操作を受け付ける第２のステップと、
上記第２のステップで受け付けた選択操作により選択された通話状態に設定する第３のステップとを有することを特徴とするハンズフリー通話の選択方法。
【発明の詳細な説明】
【技術分野】
【０００１】
本発明はハンズフリー通話の選択装置および選択方法に関し、特に、ブルートゥース通信部を介して携帯電話機をハンズフリーユニットに無線で接続するハンズフリー通話システムに用いて好適なものである。
【背景技術】
【０００２】
従来、電話操作時の片手運転等を回避するために、ハンズフリー通話システムが提供されている。ハンズフリー通話システムは、マイク、スピーカおよび携帯電話機がハンズフリーユニットに接続されて構成される。そして、マイクからハンズフリーユニットに入力された送話音声が携帯電話機を通じて相手先に送られるとともに、相手先から携帯電話機を通じて受信した受話音声がハンズフリーユニットを介してスピーカから出力されるように構成されている。したがって、運転者は、通話の発信時および受信時を除いて、ハンドルから手を離すことなく（直接携帯電話機を持たずに）相手と通話することができる。
【０００３】
最近では、携帯電話機をハンズフリーユニットに有線で接続するハンズフリー通話システムに加えて、近距離無線通信規格の１つであるブルートゥースの通信部を介して携帯電話機をハンズフリーユニットに無線で接続するシステムも提供されている。ブルートゥースは、その通信機能を搭載した機器の通信ネットワークへの接続が自動的に行われるタイプの無線通信システムである。そのため、ブルートゥース機能を搭載した携帯電話機の識別情報をハンズフリーユニットに一度登録しておくと、その後は、携帯電話機がハンズフリーユニットに近づくだけで相互に接続され、通信可能な状態となる。なお、本明細書において携帯電話機と言うときは、ハンズフリー通話用としてハンズフリーユニットに識別情報が登録された携帯電話機を意味するものとする。
【０００４】
ところで、１台の自動車を家族で共同使用する場合や、あらかじめ登録した会員の間で自動車を共同使用する場合には、複数台の携帯電話機が車室内に一度に持ち込まれることがある。この場合は、持ち込まれた携帯電話機の何れもが、ハンズフリーユニットとブルートゥース接続して通信可能な状態となる。このような状態では、どの携帯電話機でも着信があると自動的にハンズフリー通話状態となってしまう。そのため、運転者以外の同乗者が通常のハンドセット通話を行いたくても、着信があった時点で常にハンズフリー通話状態になってしまうという問題があった。
【０００５】
このような問題に対して、複数台の携帯電話機がブルートゥース通信可能な状態となっているときに、特定の携帯電話機に着信があったときにのみハンズフリー通話を行うようにした技術が提案されている（例えば、特許文献１〜４を参照）。特許文献１に記載の技術では、各携帯電話機の優先順位を登録しておき、何れかの携帯電話機に着信があったときに、通信可能な状態となっているものの中で優先順位が最も高い携帯電話機を選択し、選択した携帯電話機を介してハンズフリー通話を行うようにしている。
【０００６】
特許文献２に記載の技術では、携帯電話機の位置を探索し、携帯電話機を運転席で検出したときには自動的にハンズフリー通話状態となるようにしている。特許文献３に記載の技術では、運転者の携帯電話機か同乗者の携帯電話機かを判定し、運転者の携帯電話機による通話時にはハンズフリー通話状態となるようにしている。特許文献４に記載の技術では、運転者の携帯電話機の識別情報を記憶した記憶送信装置が車室内に持ち込まれたときに、ハンズフリー装置が運転者の携帯電話機と無線接続するようにしている。
【先行技術文献】
【特許文献】
【０００７】
【特許文献１】特開２００２−２２３２８８号公報
【特許文献２】特開２００５−３５４３１２号公報
【特許文献３】特開２００６−１２１２７０号公報
【特許文献４】特開２００６−２２２７９１号公報
【発明の概要】
【発明が解決しようとする課題】
【０００８】
しかしながら、上記特許文献１〜４に記載の従来技術では、決められたルールに従って、特定の携帯電話機に着信があったときには常にハンズフリー通話状態とされ、それ以外の携帯電話機に着信があったときには常に通常のハンドセット通話状態とされる。特に、特許文献２〜４の場合は、運転者の携帯電話機に着信があったときには常にハンズフリー通話状態とされ、同乗者の携帯電話機に着信があったときには常にハンドセット通話状態とされる。特許文献１の場合も、運転者の携帯電話機の優先順位を最も高く設定しておけば、同じ結果となる。つまり、着信時にハンズフリー通話状態となるかハンドセット通話状態となるかは、運転者の携帯電話機か同乗者の携帯電話機かで決まってしまい、それが必ずしもユーザの希望に沿うとは限らないという問題があった。
【０００９】
すなわち、運転をしない同乗者であっても、常にハンドセット通話を行うことを希望するとは限らない。例えば、同乗者が車内で飲食をしているときに着信があった場合などには、ハンズフリー通話を行うことを希望するかもしれない。しかし、上記特許文献１〜４に記載の従来技術では、自動的にハンドセット通話状態となってしまうため、必ずしも同乗者の希望に沿った通話を行うことができないという問題があった。
【００１０】
本発明は、このような問題を解決するために成されたものであり、ハンズフリー通話用に登録された携帯電話機に対して着信があったときに、ハンズフリー通話かハンドセット通話かについてユーザの希望に沿った状態で通話を行うことができるようにすることを目的とする。
【課題を解決するための手段】
【００１１】
上記した課題を解決するために、本発明では、ハンズフリーユニットに対し無線で接続されて通信可能状態となっている携帯電話機に対して着信があったときに、ハンズフリー通話状態またはハンドセット通話状態の何れかの通話状態をユーザに選択させるための選択画面を表示し、当該選択画面に対する選択操作を通じて選択された通話状態に設定するようにしている。
【発明の効果】
【００１２】
上記のように構成した本発明によれば、ハンズフリー通話用としてハンズフリーユニットに登録された携帯電話機が車室内に持ち込まれると、その時点で携帯電話機とハンズフリーユニットとが通信可能な状態となる。その状態で携帯電話機に対して着信があっても、直ちにハンズフリー通話状態とされず、通話状態の選択画面が表示され、ユーザに通話状態の選択の機会が与えられる。そして、ユーザが所望の通話状態を選択すると、その選択した通話状態に設定される。これにより、ハンズフリー通話かハンドセット通話かについてユーザの希望に沿った状態で通話を行うことができるようになる。
【図面の簡単な説明】
【００１３】
【図１】本実施形態によるハンズフリー通話システムの構成例を示すブロック図である。
【図２】本実施形態による通話状態選択画面の例を示す図である。
【図３】本実施形態によるハンズフリーユニットの動作例を示すフローチャートである。
【図４】本実施形態によるハンズフリー通話システムの他の構成例を示すブロック図である。
【図５】本実施形態によるハンズフリー通話システムの更に別の構成例を示すブロック図である。
【発明を実施するための形態】
【００１４】
以下、本発明の一実施形態を図面に基づいて説明する。図１は、本発明によるハンズフリー通話の選択装置を実施した本実施形態によるハンズフリー通話システムの構成例を示すブロック図である。図１に示すように、本実施形態によるハンズフリー通話システムは、ハンズフリーユニット１０、携帯電話機２０ａ，２０ｂ，２０ｃ、表示部３０、操作部４０、マイク５０およびスピーカ６０を備えて構成される。ここで、携帯電話機２０ａ，２０ｂ，２０ｃ以外は、車室内に設置されている。また、本発明によるハンズフリー通話の選択装置は、ハンズフリーユニット１０の一機能として備えられている。
【００１５】
図１において、携帯電話機２０ａ〜２０ｃは、通常の通話を行うための通話処理部の他に、ブルートゥース通信部を備えている。なお、ここでは３台の携帯電話機２０ａ，２０ｂ，２０ｃを示しているが、これらは何れも、ハンズフリー通話用の携帯電話機としてハンズフリーユニット１０に識別情報が登録されているものとする。ハンズフリーユニット１０に登録された携帯電話機２０ａ，２０ｂ，２０ｃがブルートゥース通信可能なエリア内（本実施形態の場合は車室内）に入ると、携帯電話機２０ａ〜２０ｃは、ハンズフリーユニット１０と自動的に無線で接続されて通信可能状態となる。
【００１６】
ハンズフリーユニット１０は、ユーザ（車両の搭乗者）が携帯電話機２０ａ，２０ｂ，２０ｃを持たずに相手とハンズフリー通話を行ったり、ユーザが携帯電話機２０ａ，２０ｂ，２０ｃを持って相手とハンドセット通話を行ったりするために必要な各種制御を実行する。このハンズフリーユニット１０は、制御部１、登録情報記憶部２、音声処理部３、ブルートゥース通信部４、選択画面表示部５、操作受付部６および通話設定部７を備えている。音声処理部３にはマイク５０およびスピーカ６０が接続され、選択画面表示部５には表示部３０が接続され、操作受付部６には操作部４０が接続されている。
【００１７】
制御部１は、ハンズフリーユニット１０の全体を制御する。登録情報記憶部２は、ハンズフリー通話用としてハンズフリーユニット１０に登録された携帯電話機２０ａ，２０ｂ，２０ｃの識別情報を記憶する。この登録に関する処理は、制御部１がブルートゥース通信部４を介して携帯電話機２０ａ，２０ｂ，２０ｃと通信をすることによって行う。すなわち、制御部１は、ブルートゥース通信部４を介して携帯電話機２０ａ，２０ｂ，２０ｃからそれぞれの識別情報を取得し、登録情報記憶部２に記憶する。なお、登録情報記憶部２に記憶する情報は、識別情報のほかに、機種情報、電話番号情報などを含んでいてもよい。
【００１８】
音声処理部３は、図示しないマイク用プリアンプ、スピーカ用パワーアンプ、音声変調回路、音声復調回路、電子ボリュームなどの各回路を備えており、マイク５０を通して入力した音声信号を変調して通話の相手側に送信する処理や、相手側から受信した音声信号を復調してスピーカ６０から出力する処理を行う。このとき、相手側に送信する音声信号は、音声処理部３から制御部１およびブルートゥース通信部４を介して携帯電話機２０ａ，２０ｂ，２０ｃの何れか１つ（ハンズフリー通話状態に設定されたもの）に送られる。また、相手側から携帯電話機２０ａ，２０ｂ，２０ｃの何れか１つで受信した音声信号は、ブルートゥース通信部４および制御部１を介して音声処理部３に入力される。
【００１９】
ブルートゥース通信部４は、複数の携帯電話機２０ａ，２０ｂ，２０ｃとの間で無線通信し、種々の情報をやり取りする。上述したように、ブルートゥース通信部４は、携帯電話機２０ａ，２０ｂ，２０ｃとの間で通信を行い、それぞれの識別情報を取得する。また、ブルートゥース通信部４は、携帯電話機２０ａ，２０ｂ，２０ｃとの間で通話に関する音声信号の通信を行う。さらに、ブルートゥース通信部４は、ハンズフリー通話状態またはハンドセット通話状態の何れの通話状態で通話を行うかを示した通話状態設定情報（詳細は後述する）を携帯電話機２０ａ，２０ｂ，２０ｃに通知する。
【００２０】
選択画面表示部５は、複数の携帯電話機２０ａ，２０ｂ，２０ｃのうち、ハンズフリーユニット１０と通信可能状態となっている携帯電話機（すなわち、車室内に持ち込まれた携帯電話機）に対して着信があったときに、ハンズフリー通話状態またはハンドセット通話状態の何れかの通話状態をユーザに選択させるための選択画面を表示部３０に表示する。なお、表示部３０は、例えば液晶表示装置などの表示デバイスである。
【００２１】
例えば、第１携帯電話機２０ａがハンズフリーユニット１０と通信可能状態となっていて、当該第１携帯電話機２０ａに対して着信があると、着信があったことを示す着信通知信号が第１携帯電話機２０ａからハンズフリーユニット１０に送信される。この着信通知信号には、第１携帯電話機２０ａの識別情報が含まれている。ブルートゥース通信部４がこの着信通知信号を受信すると、当該着信通知信号が制御部１に渡され、制御部１による制御に従って選択画面表示部５が上述の通話状態選択画面を表示部３０に表示する。
【００２２】
図２は、表示部３０に表示される通話状態選択画面の例を示す図である。図２に示す例では、着信のあった第１携帯電話機２０ａの機種名と電話番号とが表示されるとともに、ハンズフリー通話状態の設定を選択するためのハンズフリー選択ボタン１０１およびハンドセット通話状態の設定を選択するためのハンドセット選択ボタン１０２が表示されている。ここで、機種名と電話番号は、選択画面表示部５が制御部１を通じて第１携帯電話機２０ａの識別情報をキーとして登録情報記憶部２から読み出した機種情報および電話番号情報に基づき表示される。
【００２３】
操作受付部６は、選択画面表示部５により表示部３０に表示された通話状態選択画面に対する操作部４０の選択操作を受け付ける。すなわち、操作受付部６は、図２に示した通話状態選択画面において、ハンズフリー選択ボタン１０１またはハンドセット選択ボタン１０２の何れかに対する選択操作（押下操作）を検出し、何れのボタンが押下されたかを示す選択操作信号を制御部１に通知する。なお、操作部４０は、リモコンやタッチパネルなどの入力デバイスである。
【００２４】
操作受付部６から選択操作信号の通知を受けた制御部１は、その選択操作信号の内容に基づいて、ハンズフリー通話状態またはハンドセット通話状態の何れが選択されたかを示す選択信号を通話設定部７に通知する。通話設定部７は、制御部１から選択信号の通知を受けると、その選択信号により示される通話状態、すなわち、操作受付部６が受け付けた操作部４０の選択操作により選択された通話状態に設定する。
【００２５】
例えば、第１携帯電話機２０ａにおいて着信があったときに表示部３０に表示された通話状態選択画面において、ハンズフリー選択ボタン１０１が押下された場合には、通話設定部７は、ハンズフリーユニット１０と第１携帯電話機２０ａとをハンズフリー通話状態に設定する。具体的には、通話設定部７は、ハンズフリー通話状態に設定することを示す通話状態設定情報を発生して制御部１に通知する。この通知を受けた制御部１は、ハンズフリー通話を行うようにハンズフリーユニット１０の状態を設定するとともに、通話状態設定情報をブルートゥース通信部４から第１携帯電話機２０ａに送信する。この通話状態設定情報を受信した第１携帯電話機２０ａは、ハンズフリー通話を行うように第１の携帯電話機２０ａの状態を設定する。
【００２６】
一方、第１携帯電話機２０ａにおいて着信があったときに表示部３０に表示された通話状態選択画面において、ハンドセット選択ボタン１０２が押下された場合には、通話設定部７は、第１携帯電話機２０ａによるハンドセット通話状態に設定する。具体的には、通話設定部７は、ハンドセット通話状態に設定することを示す通話状態設定情報を発生して制御部１に通知する。この通知を受けた制御部１は、通話状態設定情報をブルートゥース通信部４から第１携帯電話機２０ａに送信する。この通話状態設定情報を受信した第１携帯電話機２０ａは、ハンドセット通話を行うように第１の携帯電話機２０ａの状態を設定する。
【００２７】
次に、上記のように構成した本実施形態によるハンズフリーユニット１０の動作を説明する。図３は、本実施形態によるハンズフリーユニット１０の動作例を示すフローチャートである。この図３に示すフローチャートは、ハンズフリーユニット１０との間で通信可能状態になっている３台の携帯電話機２０ａ，２０ｂ，２０ｃのうち何れかに対して着信が発生したときにスタートする。
【００２８】
まず、選択画面表示部５は、制御部１から送られる着信通知信号に基づいて、複数の携帯電話機２０ａ，２０ｂ，２０ｃの何れかに対して着信があったことを検知すると（ステップＳ１）、ハンズフリー通話状態またはハンドセット通話状態の何れかの通話状態をユーザに選択させるための通話状態選択画面を表示部３０に表示する（ステップＳ２）。
【００２９】
次に、操作受付部６は、通話状態選択画面に表示されたハンズフリー選択ボタン１０１が押下されたか否かを判定する（ステップＳ３）。ここで、ハンズフリー選択ボタン１０１が押下されたと判定した場合、操作受付部６は、ハンズフリー選択ボタン１０１が押下されたことを示す選択操作信号を制御部１に通知する。この選択操作信号を受けて制御部１は、ハンズフリー通話状態が選択されたことを示す選択信号を通話設定部７に通知する。そして、制御部１から選択信号の通知を受けた通話設定部７は、ハンズフリーユニット１０と着信のあった携帯電話機とをハンズフリー通話状態に設定する（ステップＳ４）。
【００３０】
一方、ステップＳ３でハンズフリー選択ボタン１０１が押下されてない、すなわち、ハンドセット選択ボタン１０２が押下されたと判定した場合、操作受付部６は、ハンドセット選択ボタン１０２が押下されたことを示す選択操作信号を制御部１に通知する。この選択操作信号を受けて制御部１は、ハンドセット通話状態が選択されたことを示す選択信号を通話設定部７に通知する。そして、制御部１から選択信号の通知を受けた通話設定部７は、着信のあった携帯電話機をハンドセット通話状態に設定する（ステップＳ５）。
【００３１】
以上詳しく説明したように、本実施形態では、ハンズフリーユニット１０に対しブルートゥース接続されて通信可能状態となっている携帯電話機２０ａ，２０ｂ，２０ｃの何れかに対して着信があったときに、ハンズフリー通話状態またはハンドセット通話状態の何れかの通話状態をユーザに選択させるための通話状態選択画面を表示部３０に表示し、当該通話状態選択画面に対する選択操作を通じて選択された通話状態にハンズフリーユニット１０や携帯電話機２０ａ，２０ｂ，２０ｃを設定するようにしている。
【００３２】
上記のように構成した本実施形態によれば、ハンズフリー通話用としてハンズフリーユニット１０に登録された携帯電話機２０ａ，２０ｂ，２０ｃが車室内に持ち込まれると、その時点で携帯電話機２０ａ，２０ｂ，２０ｃとハンズフリーユニット１０とが通信可能な状態となる。ただし、その状態で携帯電話機２０ａ，２０ｂ，２０ｃに対して着信があっても、直ちにハンズフリー通話状態とはされず、通話状態選択画面が表示され、ユーザに通話状態の選択の機会が与えられる。そして、ユーザが所望の通話状態を選択すると、その選択した通話状態に設定される。これにより、ハンズフリー通話にするかハンドセット通話にするかについて、常にユーザ（運転者または同乗者）の希望に沿った状態で通話を行うことができるようになる。
【００３３】
次に、本発明の他の実施形態を図面に基づいて説明する。図４は、本発明によるハンズフリー通話の選択装置を実施した他の実施形態によるハンズフリー通話システムの構成例を示すブロック図である。なお、この図４において、図１に示した符号と同一の符号を付したものは同一の機能を有するものであるので、ここでは重複する説明を省略する。
【００３４】
図４に示すハンズフリー通話システムは、図１の構成に加えて台数検出部８を備えている。また、図１の選択画面表示部５に代えて、これと機能が異なる選択画面表示部５’を備えている。さらに、図１の通話設定部７に代えて、これと機能が異なる通話設定部７’を備えている。
【００３５】
台数検出部８は、通信可能状態となっている携帯電話機２０ａ，２０ｂ，２０ｃに対して着信があったときに、当該着信があった携帯電話機も含めて通信可能状態となっている携帯電話機の台数を検出する。すなわち、台数検出部８は、ハンズフリーユニット１０に識別情報が登録されている３台の携帯電話機２０ａ，２０ｂ，２０ｃのうち、実際に車室内に持ち込まれてハンズフリーユニット１０との間で通信可能状態となっている携帯電話機の台数を検出する。
【００３６】
具体的には、携帯電話機２０ａ，２０ｂ，２０ｃが車室内に持ち込まれてブルートゥース機能によりハンズフリーユニット１０と通信可能状態になったことを制御部１が検知したときに、どの携帯電話機が通信可能状態となっているかを示す情報を図示しないメモリに記憶しておく。台数検出部８は、制御部１を通じてこのメモリの情報を参照することにより、ハンズフリーユニット１０との間で通信可能状態となっている携帯電話機の台数を検出する。そして、台数検出部８は検出した台数を制御部１に通知する。制御部１は、台数検出部８から通知された台数に応じて、選択画面表示部５’および通話設定部７’を制御する。
【００３７】
通信可能状態となっている携帯電話機が１台であることが台数検出部８により検出された場合、選択画面表示部５’は通話状態選択画面の表示を行わない。また、通話設定部７’は、ハンズフリーユニット１０と着信のあった携帯電話機とを一律的にハンズフリー通話状態に設定する。すなわち、通信可能状態となっている携帯電話機が１台、つまり車室内に持ち込まれた携帯電話機が１台ということは、その１台は運転者のものである可能性が極めて高い。そこで、その場合には強制的にハンズフリー通話状態に設定する。
【００３８】
一方、通信可能状態となっている携帯電話機が２台以上であることが台数検出部８により検出された場合、選択画面表示部５’は通話状態選択画面の表示を行う。また、通話設定部７’は、操作受付部６が受け付けた選択操作により選択された通話状態にハンズフリーユニット１０と着信のあった携帯電話機とを設定する。すなわち、通信可能状態となっている携帯電話機が２台以上ということは、運転者の携帯電話機と同乗者の携帯電話機とがあり、どちらの携帯電話機において着信があったかは不明である。そこで、この場合には通話状態選択画面を表示してユーザに好みの通話状態を選択させる。
【００３９】
図４のような構成によれば、運転者が一人で自動車に乗り込んで運転をしているときに着信があった場合には、運転者の携帯電話機を自動的にハンズフリー通話状態に設定することができる。一方、ハンズフリーユニット１０との間で通信可能状態となっている携帯電話機が２台以上あり、運転者の他に同乗者もいると思われる場合には、通話状態選択画面を通じてハンズフリー通話状態かハンドセット通話状態かをユーザが任意に選択することができる。これにより、ハンズフリー通話を希望する可能性が高い運転者に対する利便性と、ハンズフリー通話かハンドセット通話かを状況に応じて選びたい同乗者に対する選択の柔軟性とを実現することができる。
【００４０】
なお、ハンズフリーユニット１０との間で通信可能状態となっている携帯電話機が２台以上ある場合には、運転者の携帯電話機に着信があったときでも通話状態選択画面が表示されることとなる。しかし、運転者であっても、長距離運転の道中で同乗者と運転を交代した場合には、その後はハンドセット通話を行ってもよい状態となる。よって、通話状態選択画面が表示されれば、実際に運転しているときの着信時にはハンズフリー通話を選択し、運転を交代した後の着信時にはハンドセット通話を選択できて便利である。
【００４１】
次に、本発明の更に別の実施形態を図面に基づいて説明する。図５は、本発明によるハンズフリー通話の選択装置を実施した更に別の実施形態によるハンズフリー通話システムの構成例を示すブロック図である。なお、この図５において、図４に示した符号と同一の符号を付したものは同一の機能を有するものであるので、ここでは重複する説明を省略する。
【００４２】
図５に示すハンズフリー通話システムは、図４の構成に加えて停車判定部９を備えている。また、図４の選択画面表示部５’に代えて、これと機能が異なる選択画面表示部５”を備えている。さらに、図４の通話設定部７’に代えて、これと機能が異なる通話設定部７”を備えている。
【００４３】
停車判定部９は、ハンズフリーユニット１０との間で通信可能状態となっている携帯電話機が１台であることが台数検出部８により検出された場合に、ハンズフリー通話システムを搭載した車両が停車中か否かを判定する。この停車判定部９は、車内ＬＡＮ７０に接続されており、車内ＬＡＮ７０を通して送られてくる信号に基づいて、車両が停車中か否かを判定する。例えば、車内ＬＡＮ７０から送られてくる車速信号に基づいて、車両が停車中か否かを判定することが可能である。また、サイドブレーキが引かれているか否かを示す信号、あるいは、アクセサリキーがオンになっているか否かを示す信号に基づいて車両が停車中か否かを判定することも可能である。
【００４４】
停車判定部９は、車両が停車中か否かの判定結果を制御部１に通知する。制御部１は、台数検出部８から通知される携帯電話機の台数および停車判定部９での判定結果に応じて、選択画面表示部５”および通話設定部７”を制御する。
【００４５】
ハンズフリーユニット１０と通信可能状態となっている携帯電話機が１台であることが台数検出部８により検出され、かつ、車両が停車中でないと停車判定部９により判定された場合、選択画面表示部５”は通話状態選択画面の表示を行わない。また、通話設定部７”は、ハンズフリーユニット１０と着信のあった携帯電話機とを一律的にハンズフリー通話状態に設定する。
【００４６】
一方、通信可能状態となっている携帯電話機が１台であることが台数検出部８により検出され、かつ、車両が停車中であると停車判定部９により判定された場合、または、通信可能状態となっている携帯電話機が２台以上であることが台数検出部８により検出された場合、選択画面表示部５”は通話状態選択画面の表示を行う。また、通話設定部７”は、操作受付部６が受け付けた選択操作により選択された通話状態にハンズフリーユニット１０と着信のあった携帯電話機とを設定する。
【００４７】
図５のような構成によれば、運転者が一人で自動車に乗り込んで運転をしているときに着信があった場合でも、車両が停車中のときは、一律にハンズフリー通話状態とするのではなく、通話状態選択画面を通じてハンズフリー通話状態かハンドセット通話状態かを運転者が任意に選択することができる。これにより、車両が停車中か否かの状況に応じて、ハンズフリー通話かハンドセット通話かを適宜選びたいと考える運転者に対する選択の柔軟性を実現することができる。
【００４８】
なお、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４９】
１  制御部
４  ブルートゥース通信部
５，５’，５”  選択画面表示部
６  操作受付部
７，７’，７”  通話設定部
８  台数検出部
９  停車判定部
１０  ハンズフリーユニット
２０ａ，２０ｂ，２０ｃ  携帯電話機
【図１】
2010226206.tif 000003
【図２】
2010226206.tif 000004
【図３】
2010226206.tif 000005
【図４】
2010226206.tif 000006
【図５】
2010226206.tif 000007